(57)【要約】      （修正有）【課題】浮遊濾材を濾過装置内で洗浄することができる高速沈殿濾過装置を提供する。【解決手段】廃水処理槽１０と、廃水処理槽に設けられる沈殿装置１００と、廃水処理槽または沈殿装置の上方に設けられ、浮遊濾材１１を収容して案内された廃水を浮遊濾材に通過させる濾過装置１と、濾過装置に結合され、または濾過装置と別に独立して設置され、浮遊濾材を洗浄する洗浄装置２を有する。【選択図】図２
0003178632.tif 000002
【実用新案登録請求の範囲】
【請求項１】
廃水汚泥を処理する廃水処理槽と、廃水処理槽に設けられ、廃水を案内して沈殿装置を通過させて廃水汚泥の沈殿処理を行う沈殿装置と、廃水処理槽に設けられ、または沈殿装置の上方に設けられ、浮遊濾材を収容して案内された廃水を浮遊濾材に通過させる濾過装置とを有することを特徴とした高速沈殿濾過装置。
【請求項２】
濾過装置に結合され、または濾過装置と別に独立して設置され、浮遊濾材を洗浄する洗浄装置を有することを特徴とした請求項１に記載の高速沈殿濾過装置。
【請求項３】
廃水処理槽は、浄水を濾過装置に輸送し、浮遊濾材を洗浄する浄水輸送口を有することを特徴とした請求項２に記載の高速沈殿濾過装置。
【請求項４】
洗浄装置は、洗浄装置は濾過した廃水を利用して逆向きに濾過装置内へ供給して浮遊濾材を洗浄することを特徴とした請求項２記載の高速沈殿濾過装置。
【請求項５】
洗浄装置には攪拌機を有することを特徴とした請求項２に記載の高速沈殿濾過装置。
【請求項６】
廃水及び汚泥の加熱処理を行う加熱装置を有することを特徴とした請求項１に記載の高速沈殿濾過装置。
【請求項７】
浮遊濾材が、シート状複合濾材から選択されることを特徴とした請求項１に記載の高速沈殿濾過装置。
【請求項８】
シート状複合濾材が、異なる融点の繊維材料からなることを特徴とした請求項７に記載の高速沈殿濾過装置。
【考案の詳細な説明】
【技術分野】
【０００１】
本考案は、高速沈殿（speedy sedimentation）濾過装置に関し、特に傾斜壁式（inclined wall）高速沈殿濾過装置に関する。
【背景技術】
【０００２】
特許文献１には、エアサスペンションプールと、溶存ガス衝突接触装置と、傾斜壁装置とを有する溶存ガスエアサスペンション装置が開示されている。しかし、特許文献１の溶存ガスエアサスペンション装置は、廃水濾過装置を有していないため、廃水濾過の機能を備えていない。特許文献１の溶存ガスエアサスペンション装置は、浮遊機能及び沈殿機能のみを備えている。従来の浮遊沈殿装置は、廃水濾過装置と関連濾過設備とを別に設ける必要がある。従って、従来の浮遊沈殿装置は、沈殿濾過機能をさらに与える必要がある。
【０００３】
特許文献２には、浮遊物または乳状液の濾過装置の改良が開示されている。濾過装置には、浮遊物また乳状液を入れるダクトが設けられおり、そのダクトの下に分流管が設けられ、その分流管の下に錐形導流皿が設けられ、錐形導流皿の上に濾床が設けられている。濾過装置の片側には、濾過水出口が設けられおり、濾過装置の底部中央に洗浄ダクトが上向きに設けられ、洗浄ダクトはその外側に保護管が設けられ、且つ洗浄ダクトに洗浄装置が設けられている。そして、濾過装置の水入口部には、流量調整タンクが設けられる。
【０００４】
水流の速度を調整するため、水流調整タンクの内部には流入室が設けられ、流入室はその近傍に水位室が設けられ、内側に流量調整弁と水位計とが設けられ、これにより、水頭損失を避け、濾床詰りを防止し、攪拌または水頭損失があまりに小さい際に洗浄動作を停止する。特許文献２に記載の発明は、濾床における一定品質の維持と洗浄効率の増加及び浄水損失の減少を達成できる。
【０００５】
特許文献３には、濾過用砂粒を収容する本体と、本体内部の底側に位置する空気揚水ポンプと、本体の天側に位置する汚泥廃水進水管とを有する汚水処理の連続式自動逆洗砂濾過機が開示されている。汚泥廃水進水管から汚泥を本体内へ送入して濾過し、さらに空気揚水ポンプで砂粒に対して循環を行うことにより汚泥廃水を濾過する。
【０００６】
特許文献２の濾過装置及び特許文献３の逆洗砂濾過機は、濾過槽内に逆洗の循環を直接行うが、洗浄装置は、洗浄効率が悪い際に濾過品質の確保ができないため、濾過品質に悪影響を及ぼす。したがって、従来の逆洗の連続濾過装置は改良する必要性がある。
【先行技術文献】
【特許文献】
【０００７】
【特許文献１】中国特許第CN201099630Y号
【特許文献２】台湾特許第274739号
【特許文献３】台湾特許第334846号
【考案の概要】
【考案が解決しようとする課題】
【０００８】
本考案は、濾過装置を沈殿装置に結合させ、沈殿処理した廃水を濾過装置による濾過を行い、沈殿濾過を達成する高速沈殿濾過装置を提供することである
本考案は、濾過装置を洗浄装置に結合させ、浮遊濾材が濾過装置内の洗浄装置により洗浄され、浮遊濾材の洗浄を達成する高速沈殿濾過装置を提供することである。
【課題を解決するための手段】
【０００９】
上記の目的を達成するため、本考案による高速沈殿濾過装置は、廃水汚泥を処理する廃水処理槽と、廃水処理槽に設けられ、廃水を案内して沈殿装置を通過させて廃水汚泥の沈殿処理を行う沈殿装置と、廃水処理槽に設けられ、または沈殿装置の上方に設けられ、浮遊濾材を収容して案内された廃水を浮遊濾材に通過させる濾過装置とを有する。
高速沈殿濾過装置において、濾過装置に結合され、または濾過装置と別に独立して設置され、浮遊濾材を洗浄する洗浄装置を有する。
高速沈殿濾過装置において、廃水処理槽は、浄水を濾過装置に輸送し、浮遊濾材を洗浄する浄水輸送口を有する。
高速沈殿濾過装置において、洗浄装置は濾過した廃水を利用して逆向きに濾過装置内へ供給して浮遊濾材を洗浄する。
高速沈殿濾過装置において、洗浄装置には攪拌機を有している。
高速沈殿濾過装置において、廃水及び汚泥の加熱処理を行う加熱装置を有している。
高速沈殿濾過装置において、1個または複数個の濾過槽ユニットを有する。
高速沈殿濾過装置において、浮遊濾材はシート状複合濾材から選択される。
高速沈殿濾過装置において、シート状複合濾材は異なる融点の繊維材料からなる。
【図面の簡単な説明】
【００１０】
【図１】第１実施例による高速沈殿濾過装置の上視図。
【図２】第１の実施例による高速沈殿濾過装置の側視図。
【図３】第１の実施例による高速沈殿濾過装置に採用された濾材シートの側視図。
【図４】第２の実施例による高速沈殿濾過装置の側視図。
【符号の説明】
【００１１】
１０  廃水処理槽
１００  沈殿装置
１０１  加熱装置
１０２  傾斜壁
１  濾過装置
１１  浮遊濾材
１２  濾材入口
１３  濾材出口
２  洗浄装置
２１  攪拌機
２２  浄水輸送口
【考案を実施するための最良の形態】
【００１２】
本考案における高速沈殿濾過装置は、特に廃水の浮遊物または浮遊固体を濾過するために用いるものであり、各種の廃水濾過システムを適用することができる。
【００１３】
図１及び図２に図示したように、第１の実施例による高速沈殿濾過装置は、主に沈殿装置１００と、複数の加熱装置１０１と、濾過装置（上向流式濾過装置）１と、洗浄装置２を有し、お互いにパイプラインで適切に接続されて廃水処理槽１０に設置され、一の洗浄機を構成する。
【００１４】
廃水処理槽１０は、廃水入口（図示せず）と、処理水出口（図示せず）と、汚泥排出口（図示せず）とが少なくとも１個設けられるシングルの処理槽である。未処理の廃水は廃水入口を経由して送入し（矢印ａ）、廃水は廃水処理槽１０内を適切に循環して流れ、同時に沈殿装置１００と加熱装置１０１を利用して適切な処理を行った後、処理した廃水を処理水出口を経由して排出する。また、廃水処理により生じた汚泥は加熱した後に汚泥排出口から排出する。
【００１５】
沈殿装置１００及び加熱装置１０１は廃水処理漕の下方に設けられる。沈殿装置１００は廃水中に含有する比較的重い汚泥を沈殿させる。沈殿物は加熱装置１０１により所定の温度に加熱される。
【００１６】
沈殿装置１００には、所定の傾斜角の有する複数の傾斜板１０２が設けられ、廃水を傾斜板１０２に沿って上方へ流すことができる（矢印ｂ）。この時、廃水中の比較的重い汚泥は傾斜板１０２上に沈殿した後に傾斜板１０２に沿って下方へ流れ、廃水汚泥の沈殿作用を達成する。
【００１７】
沈殿装置１００には、沈殿した汚泥をかき寄せる第１の汚泥かき寄せ機が設けられる。加熱装置１０１は、廃水処理槽１０の底部に設けられ、廃水及び沈殿した汚泥に対応する。加熱装置１０１は、廃水及び沈殿した汚泥を加熱し、油脂を含有した汚泥を適切な温度に維持するため、汚泥排出口からの汚泥の排出に有利である。
【００１８】
廃水は沈殿装置１００を経由し、比較的重い汚泥の沈殿及び加熱処理が行われるが、廃水中には比較的軽い汚泥、不純物、油脂が含まれている。廃水中の比較的軽い汚泥、不純物、油脂は、廃水を沈殿装置１００を経由して濾過装置１に輸送することにより（矢印ｂ）処理できる。
【００１９】
濾過装置１は一般的な濾過装置から選択することが可能であり、濾過装置１は浮遊濾材１１を収容する内部空間が設けられた１個または複数個の濾過漕ユニットを有し、浮遊濾材を所定の位置に配置する。廃水が浮遊濾材を通過することで廃水の濾過が行われる。この時、排水は浮遊濾材の中で濾過及び分離されて浮遊固体と汚泥が生じるが、廃水と分離した浮遊個体と汚泥は浮遊濾材の中に残る。
【００２０】
濾過装置１は、沈殿装置１００の上方または他の位置（例えば、サイド側）に設けられ、廃水の入口ポート及び濾過水の出口ポートを有している。廃水の入口ポート及び濾過水の出口ポートは廃水処理槽１０の上半部に位置し、廃水の入口ポートが濾過水の出口ポートに対応して廃水の濾過を行う。廃水の入口ポートは、沈殿装置１００によって沈殿処理された廃水を濾過装置１内に引き込んで浮遊濾材１１を通過させ、濾過水の出口ポートは、濾過された廃水を濾過装置１から外部に排出させる。
【００２１】
洗浄装置２は濾過装置１の上方に設けられ、廃水処理漕１０は浄水輸送口２２を有し、浄水輸送口２２は給水ユニット（図示せず）に接続され、浮遊濾材１１を洗浄する。
【００２２】
他の実施例において、濾過装置１により濾過した廃水を利用し、濾過した廃水を逆向き（矢印c）に濾過装置１内に供給して浮遊濾材１１を洗浄することもできる。洗浄装置２は攪拌機（stirrer）２１を有し浮遊濾材１１を攪拌洗浄する。
【００２３】
浮遊濾材１１を洗浄する際は、濾過装置１の廃水の濾過は停止される。洗浄装置２が浮遊濾材１１を洗浄して生じた汚泥水は、沈殿装置１００の傾斜壁１０２に沿って下へ流れ、廃水処理槽１０の底部に沈殿する。浮遊濾材１１を洗浄した時、濾過装置１が廃水の沈殿と濾過を行うことが可能である。
【００２４】
廃水処理槽１０は、沈殿装置１００と、加熱装置１０１と、濾過装置１と、洗浄装置２の動作を制御するためのプログラミング可能なシーケンス制御装置（Programmable logic controller，PLC）（図示せず）を有している。
【００２５】
図3に図示したように、浮遊濾材１１は異なる融点の繊維材料（網状）からなる複合濾材シートから選択され、融点の低い材料（交差状）と融点の高い材料（糸状）とを接着することにより、材料の隙間を維持して糸抜きの発生を避ける。濾過の際に隙間が透水性を発揮する〔矢印〕。そして、浮遊濾材１１を洗浄することで、汚染物による隙間の詰りを除去することができる。
【００２６】
図４に図示したように、第１の実施例に対して第２の実施例では、沈殿装置１００の底部または傾斜壁１０２に加熱装置１０１が設置されず、洗浄装置２は廃水処理槽１０上に設けられず別に独立して設けられる。
【００２７】
濾過装置１には濾材入口１２及び濾材出口１３をそれぞれ少なくとも１個有し、濾材入口１２は濾材出口１３に対応する。濾材入口１２は洗浄した浮遊濾材１１を外部から濾過装置１内に輸送するために用いられ、濾材出口１３は洗浄が必要な浮遊濾材１１を濾過装置１から外部に輸送するために用いられる。濾過装置１の濾材出口１３は浮遊濾材貯留槽（図示せず）に接続され、浮遊濾材貯留槽は濾過装置１の濾材入口１２に接続される。洗浄が必要な浮遊濾材１１は濾材出口１３を介して浮遊濾材貯留槽に輸送され、浮遊濾材１１は洗浄装置２により洗浄されて一旦貯留され、洗浄した浮遊濾材１１は浮遊濾材貯留槽から濾材入口１２を介して濾過装置１内へ回送される。
【００２８】
なお、考案を実施するための最良の形態に関して記載したが、当業者は、本考案の実用新案登録請求の範囲の要旨から逸脱することなく、種々変形及び変更することが可能である。
【図１】
0003178632.tif 000003
【図２】
0003178632.tif 000004
【図３】
0003178632.tif 000005
【図４】
0003178632.tif 000006